(57)【要約】【課題】各種の市販商品等の商品自体又は該商品のケース表面若しくは側面に使用者の手によらず直接にラベルを貼着するラベル貼付装置の技術を提供する。【解決手段】剥離紙２２ａの先端は剥離ユニット２３を介して剥離紙搬送部材２４に懸架され、さらに台紙巻取機２０の回動ローラー２０ｉを経由して台紙巻取ホルダ２５に係止される。ここで使用者は電源スイッチ２０ｄをオン操作すればトルクモータ２０ｃが駆動し、剥離紙２２ａは緊張状態となる。使用者はラベル２２ｂを貼着けるための市販等の商品２７を手Ｆで保持すると共に商品載置部材２６の商品載置板２６ａの上面に載置する。ここで使用者は可逆転操作スイッチ２０ｇで正転方向に操作し、併せてラベルプリンタ１７に備えた電源スイッチ２０ｄ又は別のラベルプリンタ操作スイッチを操作し、予め印字・入力された所望のラベル２２ｂ及び剥離紙２２ａでなる台紙２２を搬送する。このとき台紙巻取ホルダ２５等により該台紙２２は引張られ緊張している。【選択図】図１
2010280390.tif 000002
【特許請求の範囲】
【請求項１】
剥離紙に貼着しかつ印字ユニットで所望の商品情報データを印字・入力されたラベルを有した台紙を巻装・配置すると共に該印字・入力されたラベルのみを剥離紙から剥離する剥離ユニットを備えたラベルプリンタと、該剥離ユニットの外方であって該ラベルプリンタのラベル引出し開口部分に設置しかつ複数段のローラに前記ラベルを剥離された後の剥離紙を懸架する剥離紙搬送部材と、該剥離紙を下側に挿通・搬送を許容する台紙搬送孔を形成しかつラベルプリンタに固定された商品載置部材と、該商品載置部材の台紙搬送孔から挿通・搬送された剥離紙を巻取る台紙巻取ホルダを有した台紙巻取機とでなることを特徴とするラベル貼付装置。
【請求項２】
剥離紙に貼着しかつ印字ユニットで所望の商品情報データを印字・入力されたラベルを有した台紙を巻装・配置すると共に該印字・入力されたラベルのみを剥離紙から剥離する剥離ユニットを備えたラベルプリンタと、該剥離ユニットの外方であって該ラベルプリンタのラベル引出し開口部分に設置しかつ複数段のローラに前記ラベルを剥離された後の剥離紙を懸架する剥離紙搬送部材と、該剥離紙を下側に挿通・搬送を許容する台紙搬送孔を形成しかつラベルプリンタに固定された商品載置部材と、該商品載置部材の台紙搬送孔から挿通・搬送された剥離紙を巻取る台紙巻取ホルダを有した台紙巻取機と、前記ラベルプリンタを支持する支持基盤とでなり、前記ラベルプリンタと支持基盤との間に該ラベルプリンタを所定角度回動・固定する回動軸板を固定したことを特徴とするラベル貼付装置。
【発明の詳細な説明】
【技術分野】
【０００１】
本発明は、各種の市販商品等の商品自体又は該商品のケース表面若しくは側面に使用者の手によらず直接にラベルを貼着するためのラベル貼付装置に関する。
【背景技術】
【０００２】
この種、従来のラベル貼付装置は図１０に示す特開平１１−３１０２１５号公開特許公報に開示されたラベル印字貼付装置がある。これについて説明すれば、ラベルプリンタ１は図１０に示すように、Ｌ字形状の基板２が鉛直方向に配置され、その基板２の主面２ａに、ロール状に巻回したラベルシート３を実装するホルダー４や、そのラベルシート３の台紙１２を巻き取る巻取り軸５などが突設され、さらにラベルシート３に剥離可能に貼付されたラベル６に印字する印字部７がラベル発行口８に配置されたものである。このようなラベルプリンタ１は基板２の主面２ａが間隔をあけて背中合わせになるように２台配置され、その基板２の主面２ａの間はスペーサ９によって一定の間隔に保持される。また、２枚の基板２、２の間には駆動部１０が配置される。駆動部１０は時計回りと反時計回りとに回動するモータ１０ａ、ピニオン１０ｂ、そのモータ１０ａ及びピニオン軸１０ｂの各回転軸に張設されるベルト１０ｃなどから構成される。さらに主面２ａの搬送ラインＬ側の端縁には例えば２本のガイドレール１１、１１が水平方向に架設される。このガイドレール１１、１１を除き、ラベルシート３や印字部７などはカバーで覆われる。
【０００３】
このような２台のラベルプリンタ１、１間で往復動する１台のラベル貼付装置Ａは、ラベルプリンタ１の印字部７によって印字されたラベル６を台紙１２から剥離することによって取得し、そのラベル６を商品に貼付する一つのラベル保持手段１３、ラベルプリンタ１に架設したガイドレール１１に係合するローラ１４、ラベルプリンタ１に備えたピニオン１０ｂと噛合うラック１５などが備えられ、これらの部品はカバー１６によって覆われる。ラック１５がラベルプリンタ１に備えたピニオン１０ｂに噛合い、そのピニオン１０ｂが時計方向又は反時計方向に回動することにより、ラベル貼付装置Ａは上流側又は下流側へ移動して、ラベル保持手段１３がいずれかのラベル発行口８と対向する。ピニオン１０ｂの回動方向は、作業者がラベルプリンタ１を指定することにより、あるいは搬送ラインＬの上流側に配置されたセンサが商品を検知し、そのセンサからの信号によって商品に貼付するラベル６をセレクタが選別することにより、自動的に転換するようになっている。また、ピニオン１０ｂの回転によって、ローラ１４がガイドレール１１から外れないようにするため、ガイドレール１１などにストッパを備えておく。そして、ラベル貼付装置Ａのローラ１４をガイドレール１１にセッティングすることにより、往復動自在なラベル貼付装置Ａとラベルプリンタ１とが一体化される。
【先行技術文献】
【特許文献】
【０００４】
【特許文献１】特開平１１−３１０２１５号公開特許公報
【発明の開示】
【発明が解決しようとする課題】
【０００５】
従来技術に於けるラベル貼付装置の例によれば、ラベルプリンタ１が２台必要であり、装置が複雑であると共にラベルプリンタ１の本体で貼付けするラベルの商品情報を入力・印字することができず作業工数が増大化し、使用者にとってその取扱いが容易でないという問題点があった。また、ラベルを貼付けする各種商品又はケースに於いてその貼付位置が固定化し、多様化するラベルの貼付位置に対応できないこと及び外部の情報端末機で作成したラベルの商品情報データを利用できないという問題点があり、加えてラベルシート３をリワインダーとして別置のラベル貼付装置に利用できないという問題点があった。
【課題を解決するための手段】
【０００６】
本発明に係るラベル貼付装置は叙上の問題点を解決すべく発明したものであり、次の構成、手段から成立する。
【０００７】
すなわち、請求項１記載の発明によれば、剥離紙に貼着しかつ印字ユニットで所望の商品情報データを印字・入力されたラベルを有した台紙を巻装・配置すると共に該印字・入力されたラベルのみを剥離紙から剥離する剥離ユニットを備えたラベルプリンタと、該剥離ユニットの外方であって該ラベルプリンタのラベル引出し開口部分に設置しかつ複数段のローラに前記ラベルを剥離された後の剥離紙を懸架する剥離紙搬送部材と、該剥離紙を下側に挿通・搬送を許容する台紙搬送孔を形成しかつラベルプリンタに固定された商品載置部材と、該商品載置部材の台紙搬送孔から挿通・搬送された剥離紙を巻取る台紙巻取ホルダを有した台紙巻取機とでなることを特徴とする。
【０００８】
請求項２記載の発明によれば、剥離紙に貼着しかつ印字ユニットで所望の商品情報データを印字・入力されたラベルを有した台紙を巻装・配置すると共に該印字・入力されたラベルのみを剥離紙から剥離する剥離ユニットを備えたラベルプリンタと、該剥離ユニットの外方であって該ラベルプリンタのラベル引出し開口部分に設置しかつ複数段のローラに前記ラベルを剥離された後の剥離紙を懸架する剥離紙搬送部材と、該剥離紙を下側に挿通・搬送を許容する台紙搬送孔を形成しかつラベルプリンタに固定された商品載置部材と、該商品載置部材の台紙搬送孔から挿通・搬送された剥離紙を巻取る台紙巻取ホルダを有した台紙巻取機と、前記ラベルプリンタを支持する支持基盤とでなり、前記ラベルプリンタと支持基盤との間に該ラベルプリンタを所定角度回動・固定する回動軸板を固定したことを特徴とする。
【発明の効果】
【０００９】
本発明に係るラベル貼付装置圧は上述した構成を有するので次の効果がある。
【００１０】
すなわち、請求項１に記載した本発明によれば、剥離紙に貼着しかつ印字ユニットで所望の商品情報データを印字・入力されたラベルを有した台紙を巻装・配置すると共に該印字・入力されたラベルのみを剥離紙から剥離する剥離ユニットを備えたラベルプリンタと、該剥離ユニットの外方であって該ラベルプリンタのラベル引出し開口部分に設置しかつ複数段のローラに前記ラベルを剥離された後の剥離紙を懸架する剥離紙搬送部材と、該剥離紙を下側に挿通・搬送を許容する台紙搬送孔を形成しかつラベルプリンタに固定された商品載置部材と、該商品載置部材の台紙搬送孔から挿通・搬送された剥離紙を巻取る台紙巻取ホルダを有した台紙巻取機とでなることを特徴とするラベル貼付装置を提供する。
このような構成としたので、単一のラベルプリンタであって、ラベルプリンタの本体で貼付けするラベルの商品情報を入力・印字することができ、また使用者にとってその取扱いが容易でありラベルを貼付けする各種商品又はケースに於いてその貼付位置が例えばその側面又は正面等多様化するラベルの貼付位置に対応できると共に外部の情報端末機で作成したラベルの商品情報データを利用できるという効果がある。また印字・入力されたラベルをそのまま外部に搬送しリワインダーとして別置のラベル貼付装置に利用できるという効果がある。
【００１１】
請求項２に記載した本発明によれば、剥離紙に貼着しかつ印字ユニットで所望の商品情報データを印字・入力されたラベルを有した台紙を巻装・配置すると共に該印字・入力されたラベルのみを剥離紙から剥離する剥離ユニットを備えたラベルプリンタと、該剥離ユニットの外方であって該ラベルプリンタのラベル引出し開口部分に設置しかつ複数段のローラに前記ラベルを剥離された後の剥離紙を懸架する剥離紙搬送部材と、該剥離紙を下側に挿通・搬送を許容する台紙搬送孔を形成しかつラベルプリンタに固定された商品載置部材と、該商品載置部材の台紙搬送孔から挿通・搬送された剥離紙を巻取る台紙巻取ホルダを有した台紙巻取機と、前記ラベルプリンタを支持する支持基盤とでなり、前記ラベルプリンタと支持基盤との間に該ラベルプリンタを所定角度回動・固定する回動軸板を固定したことを特徴とするラベル貼付装置を提供する。
このような構成としたので、請求項１の効果に加えてラベルプリンタを所望の回動位置に設定・固定でき、使用者がラベルを貼付けする際、市販等の商品又はケースを手で保持する位置を変えることなくそのままの状態で該ラベルを市販等の商品又はケースに適正に貼付けることができるという効果がある。
【図面の簡単な説明】
【００１２】
【図１】本発明に係るラベル貼付装置の実施の形態を示す右方向から見た斜視図である。
【図２】本発明に係るラベルプリンタの内部構造を示す斜視図である。
【図３】本発明に係るラベルプリンタの内部構造を示すと共に台紙を外部に搬送するための方法を示す要部を切欠した斜視図である。
【図４】本発明に係るラベル貼付装置の実施の形態を示す左方向から見た斜視図である
【図５】本発明に係る剥離紙搬送部材の構成を示す拡大斜視図である。
【図６】本発明に係る台紙巻取機の外観を示す斜視図である。
【図７】本発明に係る台紙巻取ホルダの全体形状を示す拡大斜視図である。
【図８】本発明に係るラベル貼付装置の使用状態を示す斜視図である。
【図９】本発明に係るラベル貼付装置に於ける実施例を示す斜視図である。
【図１０】従来の技術に於けるラベル貼付装置の例を示す垂直断面図である。
【発明を実施するための形態】
【００１３】
以下、本発明に係るラベル貼付装置に於ける実施の形態について添付した図面に基づき詳細に説明する。
図１は本発明に係るラベル貼付装置の実施の形態を示す右方向から見た斜視図である。
図２は本発明に係るラベルプリンタの内部構造を示す斜視図である。
図３は本発明に係るラベルプリンタの内部構造を示すと共に台紙を外部に搬送するための方法を示す要部を切欠した斜視図である。
図４は本発明に係るラベル貼付装置の実施の形態を示す左方向から見た斜視図である。
図５は本発明に係る剥離紙搬送部材を示す拡大斜視図である。
図６は本発明に係る台紙巻取機の外観を示す斜視図である。
【００１４】
１７はラベルプリンタであり、本体部１７Ａと上方部１７Ｂとで構成されている。該ラベルプリンタ１７は支持基盤１８上に回動軸板１９により回動自在に支持されている。２０は台紙巻取機であって、前記ラベルプリンタ１７の下方に配置され支持台２１上に載置・固定されている。そして、本発明に係るラベル貼付装置は大概して前記ラベルプリンタ１７と、支持基盤１８と、回動軸板１９と、台紙巻取機２０と、支持台２１とで構成されている。２２は台紙であって剥離紙２２ａとこれに貼着したラベル２２ｂとで構成される。
【００１５】
前記ラベルプリンタ１７の上方部１７Ｂはカバー１７ａと表示部１７ｂとを有している。該表示部１７ｂはカバー１７ａの上端に回動自在に軸着している。該カバー１７ａはその表面にタッチスイッチ群で形成した操作部１７ｃと、電源キー１７ｄ等とを備えている。表示部１７ｂは内面が例えばＬＣＤディスプレイ１７ｅを有し操作者が操作することによりセットされたラベルの大きさ、種類、入力モードなどを表示する。また、ＡＣ電源やアイコンで使用している電源を表示する。また、各モードに関する情報や編集中の数値又は文字を表示する等各情報を表示する。
【００１６】
前記上方部１７Ｂ、つまりカバー１７ａの裏面は図２に示すように台紙２２の剥離紙２２ａからラベル２２ｂを剥離したときカウントする剥離センサ１７ｆとラベル２２ｂの表面に所望の文字を入力する印字ユニット１７ｇを備えている。該上方部１７Ｂは軸体部１７ｈにより本体部１７Ａの上面に開閉自在に軸着している。１７ｉは該本体部１７Ａ内の空間であって、図３に示すようにホルダ１７ｊに巻装された台紙２２を装着する。１７ｋはガイドプレートであり所定間隔を有して対向して立設している。この２つのガイドプレート１７ｋ、１７ｋにより前記台紙２２が案内されながら外部に引出される。１７ｍはラベルセンサであり台紙２２の剥離紙２２ａに貼着したラベル２２ｂの引出される数量をカウントする。
【００１７】
２３は剥離ユニットであり前記ラベルセンサ１７ｍの外方に及び本体部１７Ａのラベル引出し開口１７ｎ部分に装備している。そして例えばローラー装着スペースを有したラベル剥離板２３ａと、該ラベル剥離板２３ａのスペースに回動自在に枢着したローラー２３ｂと、該ローラー２３ｂで外方（開口）に搬送され剥離紙２２ａを挿通するガイド棒２３ｃと、該ガイド棒２３ｃから挿通された剥離紙２２ａを懸架するローラー２３ｄとで構成される。そして該ガイド棒２３ｃと該ローラー２３ｄは左・右のブラケット２３ｅ、２３ｅにより軸着している。そしてこのブラケット２３ｅ、２３ｅはラベル引出し開口１７ｎの壁面１７ｐに回転自在に軸着している。すなわち該ブラケット２３ｅ、２３ｅは図２の右側Ｒ矢印方向及び左側矢印Ｌ方向に回転自在となる。
【００１８】
２４は剥離紙搬送部材であり、前記剥離紙ユニット２３の外方であって、前記本体部１７Ａの開口に於ける両方の壁面１７ｐ、１７ｐ間に装備されている。該剥離紙搬送部材２４は図４及び図５に示すように左・右のブラケット２４ａ、２４ａと、このブラケット２４ａ、２４ａ間に架設した第１、第２及び第３ローラー２４ｂ、２４ｃ、２４ｄを備えている。該第１ないし第３ローラー２４ｂ〜２４ｄは前記剥離ユニット２３から搬送された剥離紙２２ａをそれぞれ懸架し該剥離紙２２ａは前記ラベルプリンタ１７及び支持基盤１８の下方に配置した台紙巻取機２０で巻取られる。
【００１９】
更に詳述すれば前記剥離紙搬送部材２４はその左・右のブラケット２４ａ、２４ａが壁面１７ｐ、１７ｐ間に押込まれること又は水平軸（図示せず）により嵌着される。そして前記剥離紙ユニット２３のローラー２３ｄから搬送された剥離紙２２ａを図５の仮想線で示すように第１ローラー２４ｂの下側表面をくぐらせ、第２ローラー２４ｃの内表面を接触して搬送しさらに第３ローラー２４ｄの上表面に懸架させて垂下し、台紙巻取機２０に備えた回動ローラー２０ｉに懸架される。このように剥離紙搬送部材２４が存在するので
ラベルプリンタ１７のラベル引出し開口１７ｎから搬送される剥離紙２２ａを撓ませることなく円滑に搬送することができる。ここで該台紙巻取機２０は図６に示す外観構成及び内部構造を備えている。該台紙巻取機２０は支持基盤１８の下方に配置されると共に支持台２１の上又は隣接位置に載置・固定されている。そして、該台紙巻取機２０は図６に示すように例えば略矩形状のケース２０ａと、該ケース２０ａ内に電源から電圧を低下させる変圧器２０ｂと、該変圧器２０ｂに接続され一定トルクを発生するトルクモータ２０ｃと、該ケース２０ａの上面に配置した電源スイッチ２０ｄと、トルクモータ２０ｃの正逆転運転を司る可逆転操作スイッチ２０ｇを有している。また該ケース２０ａの下面には例えば４つの脚２０ｅ・・・を固定している。前記トルクモータ２０ｃは本発明では例えばトルク力が約２００（ｇｃｍ）から２５０（ｇｃｍ）の仕様のものを使用する。そして、前記変圧器２０ｂにより電源から１００（ボルト）を入力した後約３５（ボルト）の低下させこの電圧をトルクモータ２０ｃに入力する。該トルクモータ２０ｃは回転軸２０ｆがケース２０ａの外部に露出させ、この回転軸２０ｆに台紙巻取ホルダ２５を固定する。２０ｈはブラケットであり、該ケース２０ａの側面に固定され、このブラケット２０ｈには巻取ローラー２０ｉを固定している。
【００２０】
図７は台紙巻取ホルダ２５の全体形状を示す拡大斜視図である。
前記台紙巻取ホルダ２５は図７に示すように軸心部に貫通孔２５ｅを形成した略円筒体の構造を有しており、その外表面は略９０°の間隔を有してそれぞれ凹陥２５ａを形成してある。この４つの凹陥２５ａ内に略山形状板バネ２５ｂをおそれぞれ配置しその固定端２５ｃをビス２５ｆで固定すると共に自由端２５ｄを開放してある。前記軸心部の貫通孔２５ｅ内に前記トルクモータ２０ｃの回転軸２０ｆを嵌着する。そして、ラベルプリンタ１７から搬送された剥離紙２２ａの先端部分を該台紙巻取ホルダ２５に巻付ける。巻付方法は剥離紙２２ａの先端部分を直接に巻付ける。また巻付部品を使用するときは、これを前記台紙巻取ホルダ２５に押込み嵌着する。このとき該巻付部品は台紙巻取ホルダ２５の略山形状板バネ２５ｂに圧接される。この略山形状板バネ２５ｂの反発力により該巻付部品が完全に前記台紙巻取ホルダ２５に圧着する。
【００２１】
前記支持基盤１８はラベルプリンタ１７の本体部１７Ａに回動軸板１９により軸着・固定している。そして、前記ラベルプリンタ１７は側面に固定したハンドル１７ｑにより全体を後述するように所定角度に回動させ設定できる。また該支持基盤１８は大概して水平部材１８ａと、垂直部材１８ｂとで構成され、この垂直部材１８ｂは支持台２１の上面に固定されている。尚、本発明では該水平部材１８ａと該垂直部材１８ｂとを連結固定しているが、これに限定せず該垂直部材１８ｂにガイド溝を形成すると共に該水平部材１８ａにこのガイド溝に嵌合する突起体を形成し、この突起体がガイド溝を上下方向にスライドさせ、ラベルプリンタ１７を任意の高さに調整・設定することができる。
【００２２】
当該ラベル貼付装置にはラベルプリンタ１７のラベル引出し開口１７ｎから搬送されたラベル２２ｂを商品に貼付けるための商品載置部材２６がある。該商品載置部材２６は前記ラベルプリンタ１７の本体部１７Ａに固定された商品載置板２６ａと、この両端に固定した２つの支持棒２６ｂ、２６ｂと、この２つの支持棒２６ｂ、２６ｂをそれぞれ固定する２つのブラケット２６ｃ、２６ｃとで構成する。支持棒２６ｂは上面にガイド溝２６ｄ、２６ｄが形成され、このガイド溝２６ｄ、２６ｄに商品載置板２６ａの下面に形成したガイド突起（図示せず）をスライドさせて所望位置で固定する。前記ブラケット２６ｃ、２６ｃはラベルプリンタ１７の本体部１７Ａの左・右側面にそれぞれ固定されている。また、該商品載置板２６ａは剥離紙２２ａの搬送位置に台紙搬送孔２６ｅを例えばＵ型に形成し、剥離紙搬送部材２４から円滑に挿通・搬送された剥離紙２２ａをこの台紙搬送孔２６ｅから下側に配置した回動ローラー２０ｉに送り込む。
【００２３】
次に本発明に係るラベル貼付装置に於ける実施の形態について動作等を説明する。
図８は本発明に係るラベル貼付装置の使用状態を明らかにする斜視図である。
【００２４】
先づ、使用者は図３に示すようにラベルプリンタ１７の上方部１７Ｂ（カバー１７ａ）を開放する。そしてラベル２２ｂ上に印字されていない台紙２２を空間１７ｉの中にホルダ１７ｊに巻装した状態で装着する。そして、該上方部１７Ｂ（カバー１７ａ）を閉止し該上方部１７Ｂ（カバー１７ａ）の表面に設置された電源キー１７ｄをオン操作すると共に操作部１７ｃを入力操作する。そこで印字ユニット１７ｇが動作し剥離紙２２ａ上に貼着したラベル２２ｂに所定の商品に関連する情報を入力する。入力内容としては例えば品番、製造年月日、商品名、商品数量、製造元、販売元等各種のデータが入力・印字される。入力・印字された各ラベル２２ｂは貼着数量が特定される。
【００２５】
また、剥離紙２２ａ上に貼着したラベル２２ｂは台紙２２と共にガイドプレート１７ｋ、１７ｋ間にガイド・設定された状態でラベルセンサ１７ｍの下側を介入してローラー２３ｂ及びラベル剥離板２３ａの上面を経て搬送される。ここで該ラベルセンサ１７ｍが動作し、ラベル２２ｂの存否及び発行数を検出する。
尚、図示しないがラベルプリンタ１７の下方部１７Ａの前方の下側には、例えばメモリカード挿入口を配設し、当該ラベルプリンタ１７によらず、他のパソコンで商品に関連する情報を入力し、採取したメモリカード、ＦＤを当該メモリカード挿入口に装着することで実施可能となる。また、当該ラベルプリンタ１７の背面の所定部位にＬＡＮコネクタを配置し、外部からＬＡＮ接続を行い各種情報端末機から各種商品に関連する情報を入力することもできる。また、図示しないが当該ラベルプリンタ１７の下方部１７Ａの後方の下側にスキャナコネクタ、ＵＳＢコネクタ、電源コネクタを装備してその利用に供する。
【００２６】
そして上述したように前記台紙２２つまり、剥離紙２２ａの先端は剥離ユニット２３を介して剥離紙搬送部材２４に懸架され、さらに台紙巻取機２０の回動ローラー２０ｉを経由して台紙巻取ホルダ２５に係止される。ここで使用者は電源スイッチ２０ｄをオン操作すればトルクモータ２０ｃが駆動し、一定のトルクで正回転し該剥離紙２２ａに張力を付与し、剥離紙２２ａは緊張状態となる。このように台紙巻取機２０の存在により剥離紙２２ａ又は台紙２２を横振れすることなく直下方向にかつ緊張した状態で適正に巻取ることができる。
【００２７】
使用者は図８に示すようにラベル２２ｂを貼着けるための市販等の商品２７を手Ｆで保持すると共に商品載置部材２６の商品載置板２６ａの上面に載置する。ここで使用者は可逆転操作スイッチ２０ｇで正転方向に操作し、併せてラベルプリンタ１７に備えた電源スイッチ２０ｄ又は別のラベルプリンタ操作スイッチを操作し、予め印字・入力された所望のラベル２２ｂ及び剥離紙２２ａでなる台紙２２を搬送する。このとき台紙巻取ホルダ２５等により該台紙２２は引張られ緊張している。
【００２８】
そして、印字・入力されたラベル２２ｂを貼着した当該台紙２２はローラー２３ｂの上面を搬送しながらラベル剥離板２３ａの上面に差し掛かる。このとき、該ラベル剥離板２３の前方部分は鋭角状に形成されていると共に該台紙２２が次に搬送されかつ懸架されるローラー２３ｄが該ラベル剥離板２３ａの配置位置より後方に配置されているので、該台紙２２が鋭角状態に緊張されることとなり、ラベル２２ｂのみが残留し、剥離紙２２ａのみが当該剥離ユニット２３から剥離紙搬送部材２４へ搬送される。そこでラベル２２ｂが剥離紙２２ａから剥離し、剥離センサ１７ｆが動作し、剥離後の有無を検出する。そして残留したラベル２２ｂがラベルプリンタ１７のラベル引出し開口１７ｎから外部に流出する。使用者は市販等の商品２７の正面部位又は側面部位を当該ラベルプリンタ１７のラベル引出し開口１７ｎ部分に当接すれば所望の印字・入力されたラベル２２ｂが自動的に当該市販等の商品２７に貼着することができる。ここでラベル２２ｂの流出位置に使用者が把持する市販等の商品２７の正面や側面を適合させるので、貼付手法が円滑でかつ合理的となる。このラベルプリンタ１７の動作が繰返されることにより多種多量の市販等の商品２７の正面部位又は側面部位にラベル２２ｂを連続して貼着する。
【００２９】
一方、ラベル２２ｂの無い剥離紙２２ａは前述したように台紙巻取ホルダ２５により順次巻取られる。剥離紙２２ａの巻取りが完了すればラベル２２ｂの無い剥離紙２２ａは廃却処分とする。さらに本発明に係るラベル貼付装置の特徴としては、前述したように市販等の商品２７にラベル２２ｂを貼着することなく、前記ラベルプリンタ操作スイッチ及び可逆転操作スイッチ２０ｇ等を操作することにより印字・入力されたままのラベル２２ｂを備えた台紙２２を台紙巻取ホルダ２５に巻取らせ、いわゆるリワインダーとして別置のラベル貼付装置に利用することもできる。
【実施例】
【００３０】
次に本発明に係るラベル貼付装置に於ける実施例を説明する。
図９は本発明に係るラベル貼付装置に於ける実施例を示した斜視図である。
当該実施例はラベルプリンタ１７を所定角度θに回動・設置した構成であり基本的構造は図１に示すラベル貼付装置と同一である。
１９は回動軸板であり、図８に示すようにその中心に軸部１９ｃとこの軸部１９ｃに連結する上方板１９ａ及び下方板１９ｂとで構成されこの上方板１９ａ及び下方板１９ｂの相互が所定角度θに回動設定される。該回動軸板１９は軸部１９ｃを中心に前記ラベルプリンタ１７の例えば左側面部に連結したハンドル１７ｑにより回動され、該ラベルプリンタ１７を図９で示すように水平位置ラインＬ１からラインＬ２で示す約７５°の位置、つまり回動角度θまで回動・固定する。
【００３１】
前記ラベルプリンタ１７及び商品載置部材２６の総重量が約４〜５ｋｇ程度であり、比較的重くその影響も受けて使用者がハンドル１７ｑを回動操作して所定角度θで回動操作を止めても元の位置に回動復帰することなくその回動位置で固定する。この実施例によれば、使用者は手Ｆで市販等の商品２７の載置位置を図１に示す位置のままで持ち変える必要もせずに該市販等の商品２７に於けるラベル２２ｂの貼付位置を例えば商品自体又はケースの側面部位から正面部位又はコーナー部位等必要に応じて貼付け可能となるという特徴がある。
他の構成及び作用等は図１に示すものと略同一でありその説明を省略する。
【産業上の利用可能性】
【００３２】
本発明は、ラベルプリンタの上方部の表面に設置された電源キーをオン操作すると共に操作部を入力操作する。そこで印字ユニットが動作し剥離紙上に貼着したラベルに所定の商品に関連する情報を入力する。入力内容としては例えば品番、製造年月日、商品名、商品数量、製造元、販売元等各種のデータが入力・印字される。入力・印字された各ラベルは貼着数量が特定される。そして各種の市販商品等の商品自体又は該商品のケース表面若しくは側面に使用者の手によらず直接にラベルを貼着する産業分野に利用する。
【符号の説明】
【００３３】
１７        ラベルプリンタ
１７Ａ      本体部
１７Ｂ      上方部
１７ａ      カバー
１７ｂ      表示部
１７ｃ      操作部
１７ｄ      電源キー
１７ｅ      ＬＣＤディスプレイ
１７ｆ      剥離センサ
１７ｇ      印字ユニット
１７ｈ      軸体部
１７ｉ      空間
１７ｊ      ホルダ
１７ｋ      ガイドプレート
１７ｍ      ラベルセンサ
１７ｎ      ラベル引出し開口
１７ｐ      壁面
１７ｑ      ハンドル
１８        支持基盤
１８ａ      水平部材
１８ｂ      垂直部材
１９        回動軸板
１９ａ      上方板
１９ｂ      下方板
１９ｃ      軸部
２０        台紙巻取機
２０ａ      ケース
２０ｂ      変圧器
２０ｃ      トルクモータ
２０ｄ      電源スイッチ
２０ｅ      脚
２０ｆ      回転軸
２０ｇ      可逆転操作スイッチ
２０ｈ      ブラケット
２０ｉ      回動ローラー
２１        支持台
２２        台紙
２２ａ      剥離紙
２２ｂ      ラベル
２３        剥離ユニット
２３ａ      ラベル剥離板
２３ｂ      ローラー
２３ｃ      ガイド棒
２３ｄ      ローラー
２３ｅ      ブラケット
２４        剥離紙搬送部材
２４ａ      ブラケット
２４ｂ      第１ローラー
２４ｃ      第２ローラー
２４ｄ      第３ローラー
２５        台紙巻取ホルダ
２５ａ      凹陥
２５ｂ      略山形状板バネ
２５ｃ      固定端
２５ｄ      自由端
２５ｅ      貫通孔
２５ｆ      ビス
２６        商品載置部材
２６ａ      商品載置板
２６ｂ      支持棒
２６ｃ      ブラケット
２６ｄ      ガイド溝
２６ｅ      台紙搬送孔
２７        市販等の商品
Ｆ          手
【図１】
2010280390.tif 000003
【図２】
2010280390.tif 000004
【図３】
2010280390.tif 000005
【図４】
2010280390.tif 000006
【図５】
2010280390.tif 000007
【図６】
2010280390.tif 000008
【図７】
2010280390.tif 000009
【図８】
2010280390.tif 000010
【図９】
2010280390.tif 000011
【図１０】
2010280390.tif 000012